(57)【要約】【課題】コード用収容部のスプール部を支持する支持部の変形を抑止し、スプール部を安定に回転させること。【解決手段】ヘッドバンド１０１と、腕部１０２と、放音部１０とを備え、放音部１０は、スピーカユニット２１と、スピーカユニット２１を外部に電気的に接続するコード２０と、コード２０の一部を収容するコード用収容部３０とを備え、コード用収容部３０は、コード２０が巻かれるスプール部６０と、スプール部６０の内周部を通過してスプール部６０を回転可能に支持する支持部７１とを有する筺体部７０と、支持部７１を回転軸としてスプール部６０の周方向に沿って付勢を与える付勢部材８０とを備え、放音部１０は、筺体部７０に対向して配置される蓋部４０を備え、蓋部４０は、その一部が支持部７１に連結してスプール部６０を支持する、蓋部４０の一部と支持部７１とを含む支持構造を構成しており、支持構造は、曲げ剛性を有して構成されている。【選択図】図４
2011176771.tif 000002
【特許請求の範囲】
【請求項１】
ヘッドバンドと、腕部と、この腕部に支持される放音部とを備え、
前記放音部は、スピーカユニットと、このスピーカユニットを外部に電気的に接続するコードと、前記コードの一部を収容するコード用収容部とを備え、
前記コード用収容部は、コードが巻かれるスプール部と、前記スプール部の内周部を通過して前記スプール部を回転可能に支持する支持部とを有する筺体部と、前記支持部を回転軸として前記スプール部の周方向に沿って付勢を与える付勢部材とを備え、
前記放音部は、前記筺体部に対向して配置される蓋部を備え、
前記蓋部は、その一部が前記支持部に連結して前記スプール部を支持する、当該蓋部の一部と前記支持部とを含む支持構造を構成しており、
前記支持構造は、曲げ剛性を有することを特徴とするヘッドホン。
【請求項２】
前記付勢部材は、前記スプール部の内側に配置されており、
前記付勢部材が有する二つの端部のうち、一方の端部側における付勢部材の一部が前記支持部の蓋部側に設けられる溝部と連結し、他方の端部側における前記付勢部材の一部が前記スプール部と連結しており、
前記支持部が有する二つの端部のうち、前記蓋部に対して逆側に配置される端部近傍における前記支持部の一部は、前記溝部近傍における前記支持部の一部に対して、大きい前記曲げ剛性を有することを特徴とする請求項１に記載のヘッドホン。
【請求項３】
前記蓋部は、前記支持部と連結する前記蓋部の一部として、前記スプール部に向かって突起する突起部を備え、
前記蓋部の突起部は、前記溝部の内周側面を支持することを特徴とする請求項１記載のヘッドホン。
【請求項４】
前記溝部は、前記蓋部の突起部が支持する前記内周側面を有する第１の溝部と、前記付勢部材の一部と連結する第２の溝部とを備えることを特徴とする請求項３に記載のヘッドホン。
【請求項５】
前記スプール部から突出する前記支持部の端部は、前記第１の溝部と、前記スプール部の上面に沿って延在するフランジ部を備え、
前記フランジ部は前記スプール部を前記筐体部に支持していることを特徴とする請求項１に記載のヘッドホン。
【請求項６】
前記フランジ部は、環状部材を介して、前記スプール部を前記支持部が有する二つの端部の間に配置することを特徴とする請求項５に記載のヘッドホン。
【請求項７】
前記突起部を第１の突起部とし、前記第１の突起部に対して外側には、前記支持部が延在する方向における前記スプール部の位置を規制する、第２の突起部が前記蓋部に設けられていることを特徴とする請求項６に記載のヘッドホン。
【請求項８】
前記第２の突起部は、前記付勢部材に対して外側に配置されており、前記スプール部の上面近傍に配置されていることを特徴とする請求項７に記載のヘッドホン。
【請求項９】
前記第２の突起部は、環状の平面形状を有することを特徴とする請求項８に記載のヘッドホン。
【請求項１０】
前記スプール部は、前記蓋部側に配置される天面部と、筒部と、前記筐体部側に設けられる底面部とを備え、前記天面部は、前記付勢部材が配置される凹部を備え、前記凹部の外側側面には、他方の端部側における前記付勢部材の一部と連結する連結部が設けられていることを特徴とする請求項９に記載のヘッドホン。
【請求項１１】
前記付勢部材は、渦巻きばねであることを特徴とする請求項１０に記載のヘッドホン。
【請求項１２】
前記スプール部と前記筐体部との間に配置される、配線を有する基板を備え、
前記配線は前記スピーカユニットと電気的に接続されており、
前記スプール部に支持される端子部が、前記コードと電気的に接続しており、
前記基板の前記配線は、前記端子部と接続して、外部と前記スピーカユニットが、前記コード、前記端子部と前記基板を介して、電気的に接続されることを特徴とする請求項１１に記載のヘッドホン。
【請求項１３】
前記蓋部は、内周部と、前記内周部近傍における異なる２つの位置を繋ぐ架橋部を備え、前記第１の突起部は、前記架橋部に設けられていることを特徴とする請求項１２に記載のヘッドホン。
【請求項１４】
前記蓋部は、複数の架橋部を備え、前記架橋部は互いに交差する方向に延在しており、
前記蓋部は、曲げ剛性を有することを特徴とする請求項１３に記載のヘッドホン。
【請求項１５】
前記支持部、前記筐体部、前記蓋部は、樹脂部材を含む弾性部材で形成されていることを特徴とする請求項１４に記載のヘッドホン。
【請求項１６】
前記スピーカユニットは、前記筐体部を挟んで、前記コード用収容部に対向する位置に設けられていることを特徴とする請求項１２に記載のヘッドホン。
【請求項１７】
前記放音部は、前記蓋部を挟んで、前記スピーカユニットに対向して配置される保護部を備え、
前記架橋部と前記蓋部の内周部により構成される孔部は、前記スピーカユニットと前記蓋部との間に形成される第１の空間と、前記蓋部と前記保護部との間に形成される第２の空間とを連通させ、
前記保護部は、前記第１の空間と前記第２の空間を外部に対し気密にすることを特徴とする請求項１６に記載のヘッドホン。
【請求項１８】
請求項１に記載のヘッドホンと、前記ヘッドホンに音声信号を供給する音声信号発生装置を備えることを特徴とする電子機器。
【請求項１９】
請求項１に記載のヘッドホンと、前記ヘッドホンに音声信号を供給する音声信号発生装置を備えることを特徴とする自動車。
【発明の詳細な説明】
【技術分野】
【０００１】
本発明は、音響機器に接続するためのコードを引き戻し可能に収容するコード用収容部を備えるヘッドホンに関する。
【背景技術】
【０００２】
従来、ヘッドホンは、音響機器にコードを接続して、音響機器から得られる音声信号に応じて放音部から放音される再生音を、ヘッドホンを装着した使用者が楽しむためのものであることが一般的に知られている。
【０００３】
近年、使用者がヘッドホンを用いる状況として、携帯用音響機器（例えば、デジタルオーディオプレーヤーなど。）の発達に伴い、ヘッドホン自体を携帯することが増大している。このような場合、使用者がヘッドホンを携帯する際、ヘッドホン自体にコードを収容できるもの、また、使用者がヘッドホンを使用する際、コードの長さを調節できるものなどが求められている。
【０００４】
このように使用者の要求を満足するものとして、例えば、特許文献１には、コードが巻き付けられた回転盤を回転可能に支持する取り付け軸を備え、この取り付け軸には、回転盤を回転させるための渦巻きバネが設けられており、この渦巻きバネの付勢力により回転軸を回転させてコードを引き戻し可能にしたヘッドホンが開示されている。
【先行技術文献】
【特許文献】
【０００５】
【特許文献１】実用新案登録第３１１３８８９号公報
【発明の概要】
【発明が解決しようとする課題】
【０００６】
しかしながら、上記特許文献１に示されるヘッドホンでは、単に、取り付け軸の先端の外周をワッシャにより固定しているだけであり、渦巻きバネの一端が取り付けられる取り付け軸の溝を保持する構成を備えていない。そのため、コードを引き戻す際、回転盤の回転により取り付け軸に負荷がかかり、取り付け軸に形成された溝の幅が狭まる場合がある。すなわち、取り付け軸が変形することで、回転盤がスムーズに回転しなくなり、コードを引き戻すことができなくなる場合がある。
【０００７】
また、上記特許文献１に示されるヘッドホンでは、上述したように、単に、取り付け軸の先端の外周をワッシャにより固定しているだけであり、コードを引き戻す際、回転盤の回転により取り付け軸に負荷がかかり、取り付け軸に形成された溝の幅が狭まり、回転盤を取り付け軸に保持するワッシャが抜け、回転盤がスムーズに回転しなくなる場合がある。
【０００８】
また、上記特許文献１に示されるヘッドホンでは、取り付け軸が変形することで、回転盤が回転する際、回転盤が上下に動きながら回転するなど、回転盤にバタつきが生じる場合がある。このバタついた挙動を示す回転盤が、他の部材（例えば、支持座など。）に接触することで、又は、衝撃がスピーカユニットに伝わり、異音、動作不良などが発生する場合がある。
【０００９】
本発明は、このような問題点に対処することを課題の一例とするものである。本発明の目的は、例えば、コード用収容部のスプール部（回転盤）を支持する支持部（取り付け軸）の変形を抑止し、スプール部を安定に回転させることが可能なヘッドホンを提供することにある。
【課題を解決するための手段】
【００１０】
上記課題を解決するために、本発明に係るヘッドホンは、ヘッドバンドと、腕部と、この腕部に支持される放音部とを備え、上記放音部は、スピーカユニットと、このスピーカユニットを外部に電気的に接続するコードと、上記コードの一部を収容するコード用収容部とを備え、上記コード用収容部は、コードが巻かれるスプール部と、上記スプール部の内周部を通過して上記スプール部を回転可能に支持する支持部とを有する筺体部と、上記支持部を回転軸として上記スプール部の周方向に沿って付勢を与える付勢部材とを備え、上記放音部は、上記筺体部に対向して配置される蓋部を備え、上記蓋部は、その一部が上記支持部に連結して上記スプール部を支持する、当該蓋部の一部と上記支持部とを含む支持構造を構成しており、上記支持構造は、曲げ剛性を有して構成されている。
【図面の簡単な説明】
【００１１】
【図１】本発明の一実施の形態であるヘッドホンの構成を前方から模式的に示す斜視図である。
【図２Ａ】本発明の一実施の形態であるヘッドホンの第１の状態の構成を後方から模式的に示す斜視図である。
【図２Ｂ】本発明の一実施の形態であるヘッドホンの第２の状態の構成を後方から模式的に示す斜視図である。
【図３】本発明の一実施の形態であるヘッドホンの放音部について分解した状態の構成を模式的に示す分解斜視図である。
【図４】本発明の一実施の形態であるヘッドホンの放音部の断面を模式的に示す断面斜視図である。
【図５】本発明の一実施の形態であるコード用収容部の構成を模式的に示す斜視図である。
【図６】本発明の一実施の形態であるコード用収容部について分解した状態の構成を模式的に示す分解斜視図である。
【図７】本発明の一実施の形態であるスプール部の構成を模式的に示す斜視図である。
【図８】本発明の一実施の形態である付勢部材の構成を模式的に示す斜視図である。
【図９Ａ】本発明の一実施の形態である蓋部の構成を上方から模式的に示す斜視図である。
【図９Ｂ】本発明の一実施の形態である蓋部の構成を下方から模式的に示す斜視図である。
【図１０Ａ】図４におけるＡ部を拡大して示す拡大斜視図である。
【図１０Ｂ】図４におけるＢ部を拡大して示す拡大斜視図である。
【発明を実施するための形態】
【００１２】
本実施の形態の一態様として、スプール部の所定の軸上に配置された支持部に凹状又はすり割り状の溝部を設け、この溝部に、蓋部に設けられた第１の突起部を嵌合させる構造（支持構造）としている。このような構造にすることで、スプール部の回転により溝部の幅が狭まることを抑止できる。また、第１の突起部により支持部が保持されているので、例えば、支持部が配置される所定の軸からスプール部がずれて回転することを抑止することができる。
【００１３】
また、本実施の形態の他の態様として、蓋部に設けられた環状の第２の突起部によりスプール部のバタつきを抑える構造としている。すなわち、第２の突起部を設けることで、第２の突起部とスプール部との間に生じる間隔が狭められ、スプール部が回転する際に生じるバタつきを抑止することができる。
【００１４】
以下、図面を参照しながら、本発明の実施の形態について詳細に説明する。
本発明の一実施の形態のヘッドホン１００について図１、図２Ａ及び図２Ｂを用いて説明する。図１は、本発明の一実施の形態であるヘッドホン１００の構成を前方から模式的に示す斜視図であり、図２Ａは、本発明の一実施の形態であるヘッドホン１００の第１の状態の構成を後方から模式的に示す斜視図であり、図２Ｂは、本発明の一実施の形態であるヘッドホン１００の第２の状態の構成を後方から模式的に示す斜視図である。
【００１５】
図１、図２Ａ及び図２Ｂに例示されるように、本実施の形態のヘッドホン１００は、円弧状又は湾曲状の形状をなしたヘッドバンド１０１と、このヘッドバンド１０１の両端に支持される放音部１０Ｌ及び放音部１０Ｒを備えている。本実施の形態において、放音部１０Ｌ及び放音部１０Ｒは、それぞれ、腕部１０２Ｌ及び腕部１０２Ｒを介してヘッドバンド１０１に接続されている。
【００１６】
ヘッドバンド１０１は、使用者の頭頂部に沿って湾曲して形成され、可撓性及び弾性を有している。すなわち、ヘッドバンド１０１は、ヘッドバンド１０１の両端部が互いに近づく方向又は離れる方向への弾性力を有しており、このヘッドバンド１０１の弾性力により、使用者の頭部にヘッドホン１００を装着することができる。
【００１７】
腕部１０２Ｌ及び腕部１０２Ｒは、それぞれ、放音部１０Ｌ及び放音部１０Ｒの角度を調節可能にしている。具体的には、腕部１０２Ｌ及び腕部１０２Ｒは、その奥行き方向（紙面に対して略垂直な方向）を回転軸として、この回転軸の周りに放音部１０Ｌ及び放音部１０Ｒを回転可能に支持している。また、腕部１０２Ｌ及び腕部１０２Ｒは、放音部１０Ｌ及び放音部１０Ｒをヘッドバンド１０１の内側に折りたたむことを可能にしており、ヘッドホン１００をコンパクト化することができる。
【００１８】
すなわち、腕部１０２Ｌ及び腕部１０２Ｒは、ヘッドホン１００を使用者が装着する際、使用者の耳への装着感をより向上させること、使用者がヘッドホン１００を携帯する際、ヘッドホン１００をコンパクトに折りたたんで持ち運ぶことを可能にしている。
【００１９】
放音部１０Ｌ及び放音部１０Ｒは、後述するように、スピーカユニット２１を備えており、音声信号発生装置として、例えば、音響機器から得られる音声信号を再生音に変換して放音する。
【００２０】
放音部１０Ｌ及び放音部１０Ｒのそれぞれの放音面には、この放音面を覆うようにパット１１が取り付けられている。パット１１は、使用者がヘッドホン１００を装着した際、フィット感や使用者の耳と放音部１０Ｌ及び放音部１０Ｒとの間に形成される空間の密閉性を向上させる。なお、パット１１の素材は、特に限定されないが、使用者の耳に接触した際、フィット感又は密閉性を高めるために、クッション性を有した低反発ウレタン等の素材を用いて構成されている。
【００２１】
本実施の形態において、放音部１０Ｌには、音声信号発生装置のヘッドホン接続端子に接続するコード２０が引き戻し可能に収容されている。すなわち、図２Ａに例示されるように、使用者がヘッドホン１００を使用しない際には、コード２０を放音部１０内に収容しておき、一方、図２Ｂに例示されるように、ヘッドホン１００を使用する際には、コード２０を引き出して、使用者が適宜、コード２０の長さを調節して使用することが可能になる。なお、本実施の形態では、コード２０を収容するコード用収容部３０が放音部１０Ｌに設けられているが、これに限定されず、放音部１０Ｒに設けられても良い。
【００２２】
本実施の形態の放音部１０について図３及び図４を用いて説明する。図３は、本発明の一実施の形態のヘッドホン１００の放音部１０について分解した状態を模式的に示す分解斜視図であり、図４は、本発明の一実施の形態であるヘッドホン１００の放音部１０の断面を模式的に示す断面斜視図である。
【００２３】
図３及び図４に例示されるように、本実施の形態の放音部１０は、後述するスピーカユニット２１を音声信号発生装置に電気的に接続するコード２０を収容するコード用収容部３０と、コード用収容部３０を覆うように配置され、コード用収容部３０を保護する蓋部４０とを備えて構成されている。これら、コード用収容部３０及び蓋部４０は、例えば、コード用収容部３０、蓋部４０の順に基台２２に設けられている。また、後述するように、コード用収容部３０は蓋部４０に取り付けられていても構わなく、或いは基台２２の上に設けられていても構わなく、適宜変更可能である。
【００２４】
そして、蓋部４０には、スピーカユニット２１やコード用収容部３０を保護するための保護部５０が設けられている。保護部５０は、保護プレート５１と、この保護プレート５１を蓋部４０に保持する保持プレート５２とを備えて構成されている。
【００２５】
一方、コード用収容部３０の基台２２は、断面形状が凹状である底面部２２Ｂ、底面部２２Ｂを囲む外周筒部２２Ａを備え、この基台２２の底面部２２Ｂ（凹部）にスピーカユニット２１が埋設されている。そして、スピーカユニット２１には、上述したように、スピーカユニット２１を音声信号発生装置に電気的に接続するコード２０が接続されている。すなわち、スピーカユニット２１は、後述するコード２０を介して音声信号発生装置から供給された音声信号により、再生音を放音部１０から放音する。
【００２６】
次に、本実施の形態の放音部１０Ｌの一部を構成するコード用収容部３０について図５乃至図８を用いて説明する。図５は、本発明の一実施の形態であるコード用収容部３０の構成を模式的に示す斜視図であり、図６は、本発明の一実施の形態であるコード用収容部３０について分解した状態を模式的に示す分解斜視図であり、図７は、本発明の一実施の形態であるスプール部６０の構成を模式的に示す斜視図であり、図８は、本発明の一実施の形態である付勢部材８０の構成を模式的に示す斜視図である。
【００２７】
図５及び図６に例示されるように、本実施の形態のコード用収容部３０は、コード２０を巻き回すためのスプール部６０と、スプール部６０を周方向に回転可能に付勢する付勢部材８０と、スプール部６０を回転可能に支持する支持部７１を具備する筺体部７０とを備えて構成されている。
【００２８】
コード用収容部３０は、上述したように、基台２２に設けられているか、又は蓋部４０にビス等の締付部材にて取り付けられている。具体的には、コード用収容部３０は、蓋部４０に図示しないビスで取り付けられており、基台２２の上には、コード用収容部３０の一部を構成する筺体部７０が設けられている。そして、この筺体部７０にスプール部６０が収容され、スプール部６０の後述する凹部６３には、付勢部材８０が収容されている。
【００２９】
また、スプール部６０の凹部６３には、例えば、付勢部材８０、プレート８３、ワッシャ８４（環状部材）が順次配置されている。プレート８３は、付勢部材８０を保護している。プレート８３の上に配置されるワッシャ８４の上面は、支持部７１の端部により支持される。これにより、ワッシャ８４は、プレート８３と付勢部材８０を、スプール部６０の凹部６３に保持している。特に支持部７１の一部は、プレート８３の開口部８３Ａ及びワッシャ８４の開口部８４Ａを通過し、端部がワッシャ８４の上方に突出して配置されている。
【００３０】
一方、このコード用収容部３０の基台２２側には、上述したように、スピーカユニット２１が基台２２の底面部２２Ｂに埋設されている。すなわち、コード用収容部３０が有する筺体部７０がスピーカユニット２１に対向して配置されている。したがって、スプール部６０とスピーカユニット２１と間に筺体部７０が配置されることで、スピーカユニット２１がスプール部６０の回転に伴う振動や接触を受けにくくなり、スピーカユニット２１をスプール部６０の動作から保護することができる。
【００３１】
［筺体部］
図６に例示されるように、本実施の形態の筺体部７０は、外形が円形状である底面部７９と、この底面部７９の外周縁に配置され、底面部７９に対して立設して形成される外周筒部７５とを備えて構成されている。この筺体部７０は、例えば、合成樹脂等の樹脂部材を含む弾性部材から構成されている。なお、合成樹脂としては、例えば、ポリプロピレン等のオレフィン系、ＡＢＳ（アクリロニトリル・ブダジエン・スチレン）、ポリエチレンテレフタレート系等の熱可塑性樹脂、熱硬化型樹脂等がある。なお、これに限定されず、鉄やアルミニウム等の金属材料、樹脂に織物又は不織布等の繊維系部材を混入させた部材等、公知の材料を使用しても構わない。
【００３２】
底面部７９には、環状に形成された複数の配線９２を有する基板９０が設けられている。この基板９０に形成された複数の配線９２のうち、一つの配線９２は、コード２０と電気的に接続している端子部９１と接続している。
【００３３】
端子部９１は、環状のプレート８５の外周部に支持される。端子部９１を支持するプレート８５は、スプール部６０のスピーカユニット２１側の側面に取り付けられ、スプール部６０と一体となって回転する。
【００３４】
また、端子部９１は、グランド用の端子部、放音部１０Ｒ用の端子部、放音部１０用の端子部の３種類が基板９０上に設けられている。これら端子部９１は、コード２０の端部に電気的に接続している。
【００３５】
また、端子部９１に電気的に接続する複数の配線９２のうち、グランド用の端子部９１及び放音部１０Ｌ用の端子部９１と電気的に接続する二つの配線９２は、スピーカユニット２１に接続している。また、グランド用の端子部９１及び放音部１０Ｒ用の端子部９１に接続する二つの配線９２は、ヘッドバンド１０１や腕部１０２内に配置された図示しない配線を介して放音部１０Ｒ内のスピーカユニット２１に接続している。
【００３６】
なお、この接続構造は、上述した構造に限定せず、公知の手段を用いて、適宜変更しても構わない。また、コード２０の引き延ばし、或いは、引き戻しをする際、スプール部６０が回転するに伴って、端子部９１も回転する。このとき、端子部９１が環状に形成された配線９２との接点を複数（本実施の形態では２つ。）備えていることで、スプール部６０の回転時でも安定に、スピーカユニット２１と音声信号発生装置との電気的な接続を維持することができる。
【００３７】
このように、スピーカユニット２１は、基板９０及び端子部９１を介してコードに電気的に接続されるとともに、上述したように、筺体部７０の基台２２側に配置されているため、スプール部６０の回転動作による影響を受けにくくなる。
【００３８】
本実施の形態の筺体部７０には、底面部７９の略中央に支持部７１が配置されている。また、支持部７１は、外周筒部７５は、底面部７９に対して支持部７１が延在する方向に沿って立設して形成されている。そして、支持部７１の端部（蓋部４０側）には、溝部７２が形成されている。
【００３９】
また、支持部７１の後述する蓋部４０側における端部には、スプール部６０の後述する第１の平面部６１に沿って延在するフランジ部７３が形成されている。フランジ部７３と第１の平面部６１との間には、ワッシャ８４が配置されている。すなわち、フランジ部７３は、ワッシャ８４を介してスプール部６０を筺体部７０に支持している。
【００４０】
また、支持部７１が有する二つの端部のうち、底面部７９側における端部近傍には、後述するスプール部６０を支持する段部７６が設けられている。具体的には、底面部７９側の端部近傍における、支持部７１の外周側面に内側に向かって凹状の段部７６が形成されている。この段部７６は、後述するスプール部６０の筒部６６の下端部を回転可能に支持している。
【００４１】
筺体部７０の外周筒部７５の外周の一部には、係止片２３が設けられている。具体的には、筺体部７０には、上述したように、スプール部６０が収容されており、このスプール部６０の後述する切り欠き６５ａ，６５ｂに係合するように係止片２３が配置されている。
【００４２】
すなわち、係止片２３は、筺体部７０に収容されたスプール部６０の後述する切り欠き６５ａ，６５ｂに係合して配置されることで、コード２０を引き出す際、係止片２３を切り欠き６５ａ，６５ｂの何れかに引っ掛けて、コード２０の長さを調節可能にしている。また、コード２０をスプール部６０に収容する際、係止片２３を切り欠き６５ａ，６５ｂから外して後述する付勢部材８０の付勢力をスプール部６０に作用させている。
【００４３】
［スプール部］
図６及び図７に例示されるように、本実施の形態のスプール部６０には、上述したように、コード２０が巻き回される。具体的には、スプール部６０は、ボビン形状をなして形成されており、互いに対向して配置される第１の平面部６１（天面部）及び第２の平面部６２（底面部）と、これら第１の平面部６１及び第２の平面部６２の間に配置され、第１の平面部６１及び第２の平面部６２とともに一体に形成された筒部６６とを備えて構成されている。
【００４４】
なお、この実施例では、筒部６６は外形が円形に形成されているが、これに限定されず、スプール部６０によりコード２０を収納することができれば、筒部６６の外形の形状は特に限定されない。
【００４５】
本実施の形態において、スプール部６０の第１の平面部６１には、略中央に凹部６３が形成されている。この凹部６３には、後述する付勢部材８０が収容されている。また、凹部６３の外周側面には、凹部６３に収容される付勢部材８０の外側端部８２を係止するための係止片６７が形成されている。
【００４６】
なお、外側端部８２は、外側端部８２側における付勢部材８０の一部を含む。また、付勢部材８０の外側端部８２側における、付勢部材８０の一部を係止片６７に係止めしても構わない。また、付勢部材８０がスプール部６０に付勢力を作用することができれば、付勢部材８０の一部凹部６３の一部に接着剤等で固定しても構わなく、特に限定されない。
【００４７】
また、凹部６３の略中央部には、筺体部７０の支持部７１が挿入される孔部６４が形成されている。そして、支持部７１には、上述したように、溝部７２が形成されており、この溝部７２に、凹部６３に収容された付勢部材８０の内側端部８１が係止されている。
【００４８】
なお、内側端部８１は、内側端部８１側における付勢部材８０の一部を含む。また、内側端部８１側における付勢部材８０の一部が支持部７１に係止めるか、又は接着剤等で支持部７１に固定されていても構わなく、特に限定はしない。
【００４９】
また、孔部６４を形成する筒部６６の内周部６９は、筐体部７０に回転可能に支持される下端部６８を備えている。この下端部６８は、スプール部６０の第２の平面部６２から筐体部７０に向かって突出する形状に形成されている。また、下端部６８は筒部６６に沿って環状又は筒状に形成されている。
【００５０】
このように、本実施の形態のスプール部６０によれば、このスプール部６０の凹部６３に、後述する付勢部材８０が収容されることで、付勢部材８０を配置するスペースを別途設けることなく放音部１０自体を薄く形成することが可能になり、放音部１０の軽量化を図ることができる。
【００５１】
一方、第２の平面部６２には、外周部に複数の切り欠き６５ａ，６５ｂが形成されている。この切り欠き６５ａ，６５ｂは、上述したように、コード２０を引き出す際、係止片２３を弾いている。また、コードを引き戻す際、係止片２３を内側に押して係止片２３を切り欠き６５ａ，６５ｂから外すことで、付勢部材８０付勢力をスプール部６０に作用させる。
【００５２】
すなわち、本実施の形態のスプール部６０は、このスプール部６０の凹部６３に後述する付勢部材８０が収容され、周方向に回転可能に付勢されるとともに、筺体部７０の支持部７１により周方向に回転可能に支持されることで、コードを引き戻し可能にしている。
【００５３】
［付勢部材］
図６及び図８に例示されるように、本実施の形態の付勢部材８０は、上述したように、スプール部６０を周方向に回転可能に付勢する。具体的には、付勢部材８０は、渦巻きバネを用いて構成されている。そして、付勢部材８０の内側端部８１は、支持部７１の溝部７２に連結されている。一方、付勢部材８０の外側端部８２は、スプール部６０の凹部６３の外周側面に形成された係止片６７に連結されている。また、内側端部８１側における付勢部材８０の一部が支持部７１の溝部７２に連結されていても構わない。また、外側端部８２側における付勢部材８０の一部がスプール部６０の凹部６３の側面又は外周側面に形成された係止片６７に連結されていても構わなく、付勢部材８０がスプール部６０に付勢を作用させることができれば、特に限定はしない。
【００５４】
付勢部材８０は、支持部７１及びスプール部６０に、付勢部材８０の内側端部８１及び外側端部８２を固定することで、支持部７１及びスプール部６０に保持されており、スプール部６０の回転に起因して、コード２０が巻き取られた状態、もしくは、コード２０が引き延ばされ、巻き取りが開放された状態を構成する。そして、これら、筺体部７０、スプール部６０及び付勢部材８０を覆うように、基台２２には、蓋部４０が設けられている。
【００５５】
［蓋部］
次に、本実施の形態の放音部１０の一部を構成する蓋部４０について図３、図４、図９Ａ及び図９Ｂを用いて説明する。図９Ａは、本発明の一実施の形態である放音部１０の蓋部４０の構成を上方から模式的に示す斜視図であり、図９Ｂは、本発明の一実施の形態である放音部１０の蓋部４０の構成を下方から模式的に示す斜視図である。
【００５６】
図３、図４、図９Ａ及び図９Ｂに例示されるように、蓋部４０は、上述したように、コード用収容部３０を覆うように配置され、コード用収容部３０を保護している。
【００５７】
この蓋部４０は、コード用収容部３０を覆う平面部４３と、平面部４３の外周縁に配置され、平面部４３に対して立設して形成された外周筒部４９とを備えて構成されている。本実施の形態の蓋部４０は、筺体部７０と同様に、例えば、合成樹脂等の樹脂部材を含む弾性部材から構成されている。なお、合成樹脂としては、例えば、ポリプロピレン等のオレフィン系、ＡＢＳ（アクリロニトリル・ブダジエン・スチレン）、ポリエチレンテレフタレート系等の熱可塑性樹脂等がある。また、金属部材や、繊維系部材が混在した部材も用いることができる。
【００５８】
外周筒部４９には、コード２０を蓋部４０の外部に引き出すための挿通孔４１及びコード２０のプラグを差し込むための差し込み部４２が形成されている。差し込み部４２は、上述したように、コード２０のプラグを差し込むためのものであり、プラグを差し込み部４２に差し込むことで、プラグにより係止片２３が押され、スプール部６０の切り欠き６５ａ，６５ｂが係止片２３から外れることで、付勢部材８０の付勢力がスプール部６０に作用し、スプール部６０にコード２０が巻き取られる。
【００５９】
本実施の形態において、平面部４３のスプール部６０に対向する対向面側には、筺体部７０に設けられた支持部７１の溝部７２に挿嵌して配置され、この溝部７２を保持する第１の突起部４７が形成されている。
【００６０】
第１の突起部４７は、上述したように、溝部７２に挿嵌して配置され、この溝部７２を保持しており、後述する第１の架橋部４５に形成されている。具体的には、蓋部４０を平面視すると、平面部４３の略中央には、略円形状の孔部４４が形成されている。孔部４４には、この孔部４４を掛け渡して配置され、孔部４４を補剛する第１の架橋部４５が設けられている。第１の架橋部４５が設けられることで、蓋部４０の剛性（曲げ剛性）を向上させ、変形を抑止することができる。なお、孔部４４の中心位置が蓋部４０の中心位置から外れた位置に、孔部４４を設けても構わない。また、孔部４４を設けることで、第１の突起部４７が溝部７２に挿入されているかを確認することができる。
【００６１】
放音部１０Ｌには、コード収容部３０が設けられており、スピーカユニット２１と蓋部４０とで構成される第１の空間（空気室）の容積は比較的小さい。一方、放音部１０Ｒにはコード収容部３０を備えておらず、放音部１０Ｌと放音部１０Ｒが実質的に同じ大きさである場合には、放音部１０Ｒが有する空間（空気室）は、放音部１０Ｌが有する第１の空間に比べて比較的大きい。このため、放音部１０Ｌと放音部１０Ｒが、互いに異なる音響特性を提供する場合がある。そこで、放音部１０Ｌが提供する音響特性と放音部１０Ｒが提供する音響特性を実質的に同じに調整すべく、蓋部４０の一部を覆う保護部５０又は保護プレート５１と蓋部４０との間に形成される第２の空間を空気室の一部としている。また、保護部５０又は保護プレート５１により、放音部１０Ｌが有するスピーカユニット２１の背面側における空間を外部から遮断し、気密にしている。この第２の空間を放音部１０Ｌに設けることで、放音部１０Ｌが有するスピーカユニット２１の背面側（放音側とは逆側）における空間を比較的大きくすることができる。このため、放音部１０Ｌ及び放音部１０Ｒが提供する音響特性を調整することが可能となり、実質的に同じにすることができる。
【００６２】
第１の架橋部４５は、孔部４４を掛け渡して配置され、直線状又は棒状に形成されている。そして、第１の架橋部４５のスプール部６０に対向する対向面側には、第１の突起部４７が形成されている。また、孔部４４には、第１の架橋部４５に対して略直交する第２の架橋部４６が設けられている。
【００６３】
第２の架橋部４６は、上述したように、孔部４４を掛け渡して配置され、第１の架橋部４５と交差する部位に略円形状（環状）をなして形成されている。このように、本実施の形態の蓋部４０は、中央部に孔部４４を設け、この孔部４４を第１の架橋部４５及び第２の架橋部４６により補剛することで、蓋部４０の曲げ剛性を高めることができる。
【００６４】
なお、図３、図９には、第１の架橋部４５、第２の架橋部４６の一方又は双方について、第１の突起部４７から一方の端部までの長さ、及び第１の突起部４７から他方の端部までの長さが異なる形状を有することが示されている。また、図３、図９Ａに示される孔部４４の中心位置は、蓋部４０の中心位置から外れた位置にある。
【００６５】
なお、上述の通り、孔部４４の中心位置は蓋部４０の中心位置と同じ又は異なる位置であっても構わなく、特に限定はされない。孔部４４が蓋部４０の中央部に形成されている場合には、第１の架橋部４５及び第２の架橋部４６について、第１の突起部４７から一方の端部までの長さ、及び第１の突起部４７から他方の端部までの長さが略同じになる。
【００６６】
図３、図９Ａに示される第１の突起部４７は、蓋部４０の中心位置近傍に形成されており、第１の架橋部４５、第２の架橋部４６は蓋部４０の中心位置に対して非対称な形状に形成されているが、これに限定されず、略対称な形状に形成しても構わない。
【００６７】
また、本実施の形態において、平面部４３の後述するスプール部６０に対向する対向面側には、スプール部６０が回転する際に生じるスプール部６０のバタつきを抑える第２の突起部４８が形成されている。
【００６８】
第２の突起部４８は、孔部４４の外周に沿って形成されている。すなわち、第２の突起部４８は、孔部４４の外周に沿って、蓋部４０の平面部４３に環状をなして、１つ又は複数形成されている。
【００６９】
なお、第２の突起部４８は連続的した或いは閉じた環形状に形成されても構わない。また、第２の突起部４８は、蓋部４０をコード用収容部３０に組み付ける際、付勢部材８０よりも外側に配置されている。また、第２の突起部４８は、スプール部６０が有する第１の平面部６１の近傍に配置されている。詳細には、第２の突起部４８は、第１の平面部６１の上面に配置されるワッシャ８４の上面より低い位置に設けられている。
【００７０】
このように、付勢部材８０の外側でスプール部６０のバタつきを抑えることで、スプール部６０をスムーズに回転させることができる。また、支持部７１の延在する方向におけるスプール部６０のブレの大きさを比較的小さくすることができ、スピーカユニット２１へ不要な振動や衝撃が伝播することを抑止することができる。
【００７１】
次に、本実施の形態の放音部１０の内部構造について図１０Ａ及び図１０Ｂを用いて説明する。図１０Ａは、図４におけるＡ部を拡大して示す拡大斜視図であり、図１０Ｂは、図４におけるＢ部を拡大して示す拡大斜視図である。
【００７２】
図４、図１０Ａ及び図１０Ｂに例示されるように、本実施の形態において、コード用収容部３０及び蓋部４０は、コード用収容部３０の一部を構成する筺体部７０の支持部７１に形成された溝部７２に、蓋部４０に形成された第１の突起部４７を挿嵌させることで、第１の突起部４７が溝部７２を保持して組み付けられている。
【００７３】
支持部７１が有する溝部７２は、第１の突起部４７が配置される第１の溝部７４、付勢部材８０の内側端部８１が取り付けられる第２の溝部７５により構成されている。第１の溝部７４の幅（第１の架橋部４５が延在する方向における長さ）は、第２の溝部７５の幅よりも大きく形成されている。また、第１の溝部７４は、第１の架橋部４５の幅（第２の架橋部が延在する方向における長さ）に対して小さく形成されている。また、第１の溝部は第１の平面部４３の近傍まで延び、比較的大きい奥行きを有しており、第１の突起部４７を比較的大きく収容する形状を備えている。
【００７４】
これにより、支持部７１は、回転するスプール部６０を所定の軸上に支持することができる。第１の溝部に挿入される第１の突起部４７の形状は、第１の溝部７４に対応する形状に形成されている。特に、第１の突起部４７は、第１の架橋部４５から第１の溝部７４に向かって、傾斜面を有する傾斜面部４７Ａと、第１の溝部７４に挿入される棒状部４７Ｂを備える。傾斜面部４７Ａは、ワッシャ８４、スプール部６０が蓋部４０側に移動することを抑止することができる。棒状部４７Ｂは、第１の溝部７４の内側側面を支持している。特に、コード２０をコード収容部３０に収容すべくスプール部６０が回転する際、支持部７１に付勢部材８０による内側に向かう外力が作用する場合がある。この時、棒状部４７Ｂは第１の溝部７４の内側側面を支持しているので、支持部７１の幅を保持でき、ワッシャ８４やスプール部６０が支持部７１から外れること、スプール部６０のバタつきを抑止することができる。
【００７５】
また、第１の架橋部４６は、第１の突起部４７を内側に配置する凹状部４５Ａを備え、凹状部４５Ａの内側側面にて、支持部７１を所定の位置に規制している。これにより、支持部７１は、回転するスプール部６０を所定の軸上に支持することができる。
【００７６】
また、蓋部４０に第１の架橋部４６を設けることで、ワッシャ８４又はスプール部６０が蓋部４０側に移動することを抑止できる。具体的には、第１の架橋部が有する底面部、又は凹状部４５Ａより外側に形成されると共に、スプール部６０の第１の平面部４３と対向する底面部の一部により、ワッシャ８４又はスプール部６０が蓋部４０側に移動することを抑止できる。
【００７７】
このように、蓋部４０に形成された第１の突起部４７が筺体部７０の支持部７１に形成された溝部７２に挿嵌して配置され、第１の突起部４７が溝部７２を保持することで、スプール部６０の回転により、溝部７２の溝幅が狭くなることを、すなわち、支持部７１の変形を抑止することで、安定してスプール部６０を回転させることが可能になる。
【００７８】
また、支持部７１の溝部７２に蓋部４０の第１の突起部４７が配置されていることで、支持部７１と蓋部４０の一部である第１の突起部４７を含む支持構造は、曲げ剛性を有することができる。このため、スプール部６０を、支持部７１を回転軸として、安定に回転させることができる。なお、支持部７１の筐体部側の端部近傍における曲げ剛性は、溝部７２における曲げ剛性に対して比較的大きく形成されている。このため、スプール部６０が回転しても、支持部７１は安定にスプール部６０を回転可能に支持できる。
【００７９】
また、スプール部６０から突出する支持部７１の端部には、スプール部６０の上面に沿って延在するフランジ部７３が形成されている。フランジ部７３は、支持部７１が延在する方向にて剛性（曲げ剛性）を備えている。また、スプール部６０が有する第１の平面部６１の上面とフランジ部７３との間には、上述したように、ワッシャ８４が配置されている。
【００８０】
すなわち、スプール部６０及びワッシャ８４は、フランジ部７３により筐体部７１に支持されることで、コード２０をスプール部６０から引き戻す際、スプール部６０及びワッシャ８４が上方に移動すること、又は、スプール部６０及びワッシャ８４が支持部７１の端部から外れることを抑止することができる。
【００８１】
また、本実施の形態において、スプール部６０の上面とフランジ部７３との間には、上述したように、ワッシャ８４が配置されており、スプール部６０がワッシャ８４を介してフランジ部７３に支持されることで、スプール部６０及びワッシャ８４が上方に移動して支持部７１から外れることを抑止するとともに、スプール部６０のバタつきによるフランジ部７３の破損を抑止することが可能になる。
【００８２】
また、本実施の形態において、蓋部４０のスプール部６０に対向する対向面側には、第２の突起部４８が形成されている。すなわち、スプール部６０と蓋部４０との間に、第２の突起部４８が形成されることで、スプール部６０と蓋部４０との間が比較的狭くなる。したがって、スプール部６０が回転する際、スプール部６０の上下の動き、すなわちバタつきを制御することで、安定してスプール部６０を回転させることが可能になる。
【００８３】
このように、本実施の形態によれば、安定してスプール部６０を回転させることが可能になることで、スピーカユニット２１に伝わる振動等を軽減させて、スピーカユニット２１の異音、動作不良等の発生を抑止することができる。
【００８４】
なお、本実施の形態のヘッドホン１００の構成であるコード用収容部３０及び蓋部４０は、その使用用途がヘッドホン１００に限定されるものではなく、例えば、電子機器、自動車等のスピーカユニットを有するものであれば、これら電子機器、自動車等のスピーカユニットに接続させて用いることも可能である。また、電子機器として、前述のヘッドホン１００を音声信号発生装置に接続して用いることも可能である。
【００８５】
以上、本発明の実施の形態について図面等を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用することができる。
【符号の説明】
【００８６】
１０Ｒ    放音部
１０Ｌ    放音部
２０      コード
２１      スピーカユニット
３０      コード用収容部
４０      蓋部
４７      第１の突起部
４８      第２の突起部
６０      スプール部
７０      筺体部
７１      支持部
７２      溝部
８０      付勢部材
８１      内側端部
８２      外側端部
１００      ヘッドホン
１０１      ヘッドバンド
１０２Ｒ    腕部
１０２Ｌ    腕部
【図１】
2011176771.tif 000003
【図２Ａ】
2011176771.tif 000004
【図２Ｂ】
2011176771.tif 000005
【図３】
2011176771.tif 000006
【図４】
2011176771.tif 000007
【図５】
2011176771.tif 000008
【図６】
2011176771.tif 000009
【図７】
2011176771.tif 000010
【図８】
2011176771.tif 000011
【図９Ａ】
2011176771.tif 000012
【図９Ｂ】
2011176771.tif 000013
【図１０Ａ】
2011176771.tif 000014
【図１０Ｂ】
2011176771.tif 000015